(57)【要約】【課題】採取した底泥を軽量化して運搬を容易化する。【解決手段】有底筒状で上面が開口すると共に少なくとも側面の一部が通水性を有するフィルタを介して開口し、底泥が収納される第１容器と、有底筒状で上面が開口し、前記第１容器の外径よりも大きな内径を有する第２容器と、鉛直方向を回転軸として前記第１容器を回転可能に吊り下げると共に、前記第１容器が前記第２容器に収容されるように前記第２容器に支持される吊り下げ部材と、を備えることを特徴とする底泥収納容器。【選択図】図１
2018072039.tif 000002
【特許請求の範囲】
【請求項１】
有底筒状で上面が開口すると共に少なくとも側面の一部が通水性を有するフィルタを介して開口し、底泥が収納される第１容器と、
有底筒状で上面が開口し、前記第１容器の外径よりも大きな内径を有する第２容器と、
鉛直方向を回転軸として前記第１容器を回転可能に吊り下げると共に、前記第１容器が前記第２容器に収容されるように前記第２容器に支持される吊り下げ部材と、
を備えることを特徴とする底泥収納容器。
【請求項２】
請求項１に記載の底泥収納容器であって、
前記第１容器は、目の細かさが異なる複数種類の前記フィルタを交換可能に構成される
ことを特徴とする底泥収納容器。
【請求項３】
請求項１又は２に記載の底泥収納容器であって、
前記第２容器は、前記第１容器から前記フィルタを通じて排出された水分を外部へ排出するための排水口を有して構成される
ことを特徴とする底泥収納容器。
【請求項４】
請求項１〜３のいずれかに記載の底泥収納容器であって、
前記第２容器の上端部に横架される棒状のフレーム部材と、
をさらに備え、
前記吊り下げ部材は、前記フレーム部材に吊り下がることによって前記第２容器に支持される
ことを特徴とする底泥収納容器。
【請求項５】
請求項４に記載の底泥収納容器であって、
前記第２容器は、前記上端部に横架される前記フレーム部材を所定位置に着座させるためのくぼみ部を前記上端部に有して構成される
ことを特徴とする底泥収納容器。
【請求項６】
請求項４又は５に記載の底泥収納容器であって、
前記第２容器は、前記上端部に横架される前記フレーム部材が持ち上げられた際に前記フレーム部材に吊り下がるためのフックを前記上端部に有して構成される
ことを特徴とする底泥収納容器。
【請求項７】
請求項４〜６のいずれかに記載の底泥収納容器であって、
前記フレーム部材は、上に凸のアーチ型に形成されてなる
ことを特徴とする底泥収納容器。
【発明の詳細な説明】
【技術分野】
【０００１】
本発明は、底泥収納容器に関する。
【背景技術】
【０００２】
電力会社は、日々、電力設備の敷地内や建設予定地、周辺地域において、各種環境調査や土質調査を行っている。
【０００３】
そのような調査の一つとして、海岸や湖、河川の干潟部から底泥を採取して、生物の生息状況や底質の含有成分、土質等の調査をすることがある。この場合、底泥の分析を行うために、底泥を採取地から所定の施設に運搬する必要がある。
【０００４】
しかしながら、水分を大量に含んだ底泥は重く、施設まで運搬することが大きな負担となっている。
【０００５】
一方で、地中から採取した土砂を脱水する様々な技術が開発されている（例えば特許文献１参照）。
【先行技術文献】
【特許文献】
【０００６】
【特許文献１】特開平１１−２９４０６０号
【発明の概要】
【発明が解決しようとする課題】
【０００７】
しかしながら、これらの技術はいずれも土木工事で用いられるもので大がかりであり、海岸や河川の干潟部から採取した底泥を調査用に運搬するような場合に用いることは困難である。
【０００８】
本発明は上記課題を鑑みてなされたものであり、採取した底泥を軽量化して運搬を容易化することが可能な底泥収納容器を提供することを一つの目的とする。
【課題を解決するための手段】
【０００９】
一つの側面に係る底泥収納容器は、有底筒状で上面が開口すると共に少なくとも側面の一部が通水性を有するフィルタを介して開口し、底泥が収納される第１容器と、有底筒状で上面が開口し、前記第１容器の外径よりも大きな内径を有する第２容器と、鉛直方向を回転軸として前記第１容器を回転可能に吊り下げると共に、前記第１容器が前記第２容器に収容されるように前記第２容器に支持される吊り下げ部材と、を備える。
【００１０】
その他、本願が開示する課題、及びその解決方法は、発明を実施するための形態の欄の記載、及び図面の記載等により明らかにされる。
【発明の効果】
【００１１】
本発明によれば、採取した底泥を軽量化して運搬を容易化することが可能となる。
【図面の簡単な説明】
【００１２】
【図１】本実施形態に係る底泥収納容器の全体構成を示す図である。
【図２】本実施形態に係る第１容器を説明するための図である。
【図３】本実施形態に係る第１容器、吊り下げ部材及びフレーム部材を説明するための図である。
【図４】本実施形態に係る第２容器を説明するための図である。
【図５】本実施形態に係る第２容器を説明するための図である。
【図６】本実施形態に係る第２容器を説明するための図である。
【発明を実施するための形態】
【００１３】
本明細書および添付図面の記載により、少なくとも以下の事項が明らかとなる。
【００１４】
図１に、本発明の実施形態に係る底泥収納容器１０００の全体構成図を示す。
【００１５】
図１に示すように、本実施形態に係る底泥収納容器１０００は、第１容器１００と第２容器２００と吊り下げ部材３００とフレーム部材４００とを有して構成される。
【００１６】
第１容器１００は、海岸や河川、湖の干潟部などで採取された底泥を収納するための例えば金属製の容器であり、有底筒状で上面が開口する形状をしている。
【００１７】
また第２容器２００も有底筒状で上面が開口する例えば金属製の容器であり、第１容器１００の外径よりも大きな内径を有している。このため第２容器２００は、内部に第１容器１００を収納可能となっている。
【００１８】
吊り下げ部材３００は、鉛直方向を回転軸として第１容器１００を回転可能に吊り下げる例えば金属製のチェーン等の部材である。
【００１９】
フレーム部材４００は、吊り下げ部材３００を吊り下げる例えば金属製の棒状の部材である。
【００２０】
フレーム部材４００は、吊り下げ部材３００を吊り下げた状態で、第２容器２００の側面の上端部２４０に横架される。これにより、第１容器１００が第２容器２００の内部で吊り下げられた状態になる。
【００２１】
第２容器２００の上端部２４０には、フレーム部材４００を横架する際にフレーム部材４００を着座させる所定位置に、凹状のくぼみ部２４１が形成されている。
【００２２】
第１容器１００は、図２に示すように、金属製で有底の第１容器フレーム１１０と、フィルタ１１２と、留め具１１４とを有して構成される。
【００２３】
第１容器フレーム１１０は、第１容器１００の骨組みとなる部材であり、側面及び上面が開口している。
【００２４】
そしてフィルタ１１２は、第１容器フレーム１１０の側面の開口を内側から覆うように装着される。これにより、第１容器１００は、少なくとも側面の一部がフィルタ１１２を介して開口する。
【００２５】
フィルタ１１２は、水は通過させるが、土や砂、石は通過させない程度の目の細かさを有する例えば金属製のものが用いられる。このため、第１容器１００の内部に底泥を収納すると、底泥に含まれる底質は第１容器１００内に保持され、水分はフィルタ１１２を通して第１容器１００の外部に排出される。
【００２６】
なお第１容器フレーム１１０には、フィルタ１１２を装着するための不図示の装着機構が所定位置に設けられている。そしてフィルタ１１２は、この装着機構により第１容器フレーム１１０の側面に着脱可能に装着される。このような態様により、例えばフィルタ１１２が破損したり劣化した場合であっても、新しいフィルタ１１２に容易に交換することが可能となる。また通水性能（目の細かさ）が異なる複数種類のフィルタ１１２を用意しておくことで、採取する底泥の底質の粒径などの特性に応じたフィルタ１１２に交換して使用することも可能となる。
【００２７】
留め具１１４は、第１容器１００の鉛直方向の回転軸上となる位置において、第１容器フレーム１１０に回転自在に上向きに装着される。そして留め具１１４に吊り下げ部材３００が連結される。
【００２８】
なお、第１容器フレーム１１０の底面は、上述したように金属製の底板により構成されているが、フィルタ１１２と同様に、水は通過させるが土や石、砂は通過させないように網目状に構成されていても良い。このような態様により、第１容器１００の底面からも底泥の水分が排出可能となるため、より短時間で底泥から水分を排出することが可能となる。
【００２９】
この第１容器１００は、図３に示すように、吊り下げ部材３００及びフレーム部材４００と連結される。
【００３０】
フレーム部材４００は、上に凸のアーチ型に形成されてなる金属バー４１０と、金属バー４１０の中央部において回転自在に下向きに装着される金属製の留め具４３０と、を有して構成されている。また金属バー４１０の端部４２０は、フレーム部材４００が第２容器２００の上端部２４０に横架される際に、凹状のくぼみ部２４１に着座する面が凸になる形状に形成されている。
【００３１】
金属バー４１０がアーチ型に形成されることにより、フレーム部材４００の強度を向上させることが可能となる。また留め具４３０が金属バー４１０に回転自在に軸支されることにより、吊り下げ部材３００を回転可能に吊り下げることが可能となる。
【００３２】
吊り下げ部材３００は、本実施形態では金属製のチェーンにより構成されている。吊り下げ部材３００の上端はフレーム部材４００の留め具４３０に固定され、下端は第１容器フレーム１１０に装着されている金属製の留め具１１４に固定される。このようにして、第１容器１００、吊り下げ部材３００及びフレーム部材４００が一体的に連結される。
【００３３】
このように第１容器１００及び吊り下げ部材３００が連結された状態で、図１に示すように、フレーム部材４００の端部４２０をくぼみ部２４１に着座させて、フレーム部材４００の金属バー４１０を立てると、第１容器１００が第２容器２００の内部で吊り下がり、第１容器１００内の底泥に含有する水分がフィルタ１１２から第２容器２００の内部に排出される。またこのとき、吊り下げ部材３００に吊り下げられている第１容器１００を手で回転させると、遠心力の働きによって底泥内の水分をより高速に排出することができる。
【００３４】
なお上述したように、第２容器２００の上端部２４０には、フレーム部材４００の端部４２０を着座させる所定位置に、凹状のくぼみ部２４１が形成されている。このくぼみ部２４１にフレーム部材４００を着座させることにより、第２容器２００の上端部２４０に横架されるフレーム部材４００の位置を安定させることができると共に、第２容器２００の内部で第１容器１００を回転させた際の回転モーメントによって生ずるフレーム部材４００の位置ずれを防止することが可能となる。そしてこのため、作業員は第１容器１００の回転速度を上げて遠心力を増大させることもでき、より高速に第１容器１００内の底泥の水分を排出することも可能となる。
【００３５】
また第２容器２００には、排水栓２２０が装着されている。排水栓２２０は、第２容器２００内に貯留した底泥からの排水を外部に排出するための栓である。
【００３６】
図４に示すように、排水栓２２０にはつまみ２２１が形成されており、作業員は、つまみ２２１を把持して排水栓２２０を開方向あるいは閉方向に回すことができる。
【００３７】
排水栓２２０及び第２容器２００には、それぞれ対応するネジ山及びネジ溝が切ってあり、排水栓２２０を開方向に回して緩めると、第２容器２００に形成された排水口２３０から第２容器２００の内部の水が排出される。なお、図４に示すように、排水栓２２０を第２容器２００から分離することもできる。このような態様により、第２容器２００内に貯留した水を容易に排出することが可能となる。
【００３８】
なお、第２容器２００の上端部２４０は、図５及び図６に示すように、フック２４２を有して構成されていても良い。
【００３９】
フック２４２は、一例として、くぼみ部２４１に向かい合う位置に設けられており、フレーム部材４００がくぼみ部２４１に着座した状態から、作業員がフレーム部材４００を持ちあげると、第２容器２００がそのままフレーム部材４００に吊り下がるように構成されている。このような態様により、第１容器１００から底泥の水分を除去し終えた後に、作業員は、そのままフレーム部材２００を持って、底泥収納容器１０００全体を持ち運ぶことが可能になる。
【００４０】
以上、本実施形態に係る底泥収納容器１０００について説明したが、本実施形態に係る底泥収納容器１０００によれば、採取した底泥を軽量化して運搬を容易化することが可能となる。
【００４１】
また本実施形態に係る底泥収納容器１０００は、フィルタ１１２が交換可能に構成されている。そのため、例えば採取した底泥の底質の粒径などの特性に応じて適切な目の細かさのフィルタ１１２に交換することが可能である。また、例えばフィルタ１１２を適切に選択することにより、底泥内の水分を除去するのみならず、乾燥した底質を粒径に応じてふるいにかけるような用途に用いることも可能である。
【００４２】
また本実施形態に係る底泥収納容器１０００は、第２容器２００に排水口２３０を有して構成されている。そのため、第１容器１００から排出された底泥内の水の廃棄を容易に行うことができ、作業者の作業負担を軽減することが可能となる。
【００４３】
また本実施形態に係る底泥収納容器１０００は、第２容器２００の上端部２４０に横架される棒状のフレーム部材４００を有しており、吊り下げ部材３００がこのフレーム部材４００に吊り下がるように構成されている。このような態様によって、第２容器２００の内部で容易に第１容器１００を吊り下げることが可能となる。
【００４４】
また本実施形態に係る底泥収納容器１０００は、第２容器２００にくぼみ部２４１を有して構成されている。このため、フレーム部材４００を安定的に第２容器２００に着座させておくことが可能となり、作業効率を向上させることが可能となる。
【００４５】
また本実施形態に係る底泥収納容器１０００は、第２容器２００にフック２４２を有して構成されている。このため、作業員はフレーム部材２００を持って容易に底泥収納容器１０００全体を運搬することが可能になる。なお本実施形態では、フック２４２がくぼみ部２４１に向かい合う位置に設けられる場合を説明したが、フック２４２はくぼみ部２４１とは異なる位置に設けられていても良い。
【００４６】
また本実施形態に係る底泥収納容器１０００は、フレーム部材４００が上に凸のアーチ型に形成されている。このため、第１容器１００の持ち運びを容易に行えると共に、水分を大量に含んだ底泥により重くなった第１容器１００が吊り下がった場合であっても、強度を確保することができる。
【００４７】
また本実施形態に係る底泥収納容器１０００は、第１容器１００が有底筒状で上面が開口する形状をしている。このような態様によって、作業員は干潟等で採取した底泥を上面の開口からそのまま第１容器１００内に投入することができ、作業負担を軽減することが可能となる。
【００４８】
なお、上記実施形態では吊り下げ部材３００として、金属製のチェーンを用いる場合を例示したが、ロープ、ケーブル、ワイヤであっても良い。また繊維製やカーボン製であっても良い。繊維やカーボンを用いた場合には、底泥収納容器１０００を軽量化することが可能となる。
【００４９】
また同様に、第１容器１００や第２容器２００、フィルタ１１２、フレーム部材４００も、金属製のみならず、適宜、カーボンやプラスチック、繊維等の素材を用いて構成しても良い。
【００５０】
またフレーム部材４００の端部４２０は、２つのみならず、３つないし４つ以上であっても良い。例えばフレーム部材４００の端部４２０が３つの場合は、金属バー４１０をいわゆる三つ又形状にすればよい。そしてこの場合、第２容器２００のくぼみ部２４１も、端部４２０の位置に合わせて３か所設けると良い。
【００５１】
フレーム部材４００の端部４２０を３か所以上にすることにより、フレーム部材４００が上に凸のアーチ状である場合に、作業員がフレーム部材４００から手を放しても、フレーム部材４００が第２容器２００の上端部２４０において安定して倒れないようにすることができる。
【００５２】
また本実施形態に係る底泥収容容器１０００は、フレーム部材４００を用いずに構成することも可能である。この場合、第１容器１００を吊り下げる吊り下げ部材３００は、第１容器１００が第２容器２００に収容されるように第２容器２００に支持されることになる。具体的には、例えば、吊り下げ部材３００の上端側を途中で二股あるいはそれ以上に分岐するように構成しておくと共に、第２容器２００の上端部２４０に、それぞれ分岐した吊り下げ部材３００の先端部分を固定ないし掛合するようなフックを形成しておくと良い。
【００５３】
なお上述した実施の形態は本発明の理解を容易にするためのものであり、本発明を限定して解釈するためのものではない。本発明はその趣旨を逸脱することなく変更、改良され得るとともに、本発明にはその等価物も含まれる。
【符号の説明】
【００５４】
１００    第１容器
１１０    第１容器フレーム
１１２    フィルタ
１１４    留め具
２００    第２容器
２１０    容器本体部
２２０    排水栓
２２１    つまみ
２３０    排水口
２４０    上端部
２４１    くぼみ部
２４２    フック
３００    吊り下げ部材
４００    フレーム部材
４１０    金属バー
４２０    端部
４３０    留め具
１０００  底泥収納容器
【図１】
2018072039.tif 000003
【図２】
2018072039.tif 000004
【図３】
2018072039.tif 000005
【図４】
2018072039.tif 000006
【図５】
2018072039.tif 000007
【図６】
2018072039.tif 000008